(57)【要約】      （修正有）【課題】呼制御装置が収容しているWAN回線からアドホックモードによる通信を実行しているいずれかの無線端末への着信を通知する方法を提供する。【解決手段】呼制御装置が収容しているWAN回線からアドホックモードによる通信を実行しているいずれかの無線端末への着信を検知した場合に、前記呼制御装置は、無線端末情報記憶部に登録された認証情報を無線アクセスポイントへ転送し、前記無線アクセスポイントは、前記呼制御装置から転送された認証情報を受信して、アドホックモードによる通信を実行することで、前記呼制御装置からの着信通知を無線端末に通知することを可能とする【選択図】図１
2015029193.tif 000002
【特許請求の範囲】
【請求項１】
端末間で直接通信するアドホックモードによるアドホック通信と無線アクセスポイントを介して通信するインフラストラクチャモードによるインフラ通信を備える１以上の無線端末と、１以上の前記無線アクセスポイントと、１以上の外線および複数の内線を収容し前記無線端末の呼制御に係る処理を実行する呼制御装置から構成される無線通信システムであって、
前記無線端末は、前記アドホック通信を実行する際に必要なＩＤおよびパスワードを含む認証情報を記憶しておく認証情報記憶手段と、前記認証情報記憶手段に記憶されている認証情報を前記呼制御装置へ通知する認証情報通知手段と、を具備し、
前記呼制御装置は、前記無線端末が通知してくる前記認証情報を受信する認証情報受信手段と、前記受信した認証情報を含む前記無線端末に係る情報を記憶しておく無線端末情報記憶手段と、前記無線アクセスポイントへ前記アドホック通信の停止を促す情報を通知するアドホック停止通知手段と、を具備し、
前記無線アクセスポイントは、前記無線端末とアドホック通信を実行する対無線端末アドホック通信手段と、前記呼制御装置から通知される前記アドホック通信の停止を促す情報を受信するアドホック停止通知受信手段と、を具備し、
前記呼制御装置が前記外線または前記内線からアドホック通信を実行しているいずれかの無線端末へ前記アドホック通信の停止を促す情報を通知する場合に、
前記呼制御装置は、当該無線端末へ前記アドホック通信の停止を促す情報および前記無線端末情報記憶手段に記憶されている当該無線端末の認証情報を当該無線端末が帰属していた無線アクセスポイントへ通知し、
前記アドホック通信の停止を促す情報および前記認証情報を受信した無線アクセスポイントは、前記対無線端末アドホック通信手段を起動し、前記受信した認証情報によるアドホック通信を実行し、前記アドホック通信の停止を促す情報を当該無線端末へ通知することを特徴とするアドホック中無線端末への情報通知機能を有する無線通信システム。
【請求項２】
請求項１に記載の前記無線通信システムにおいて、
前記アドホック通信の停止を促す情報は、前記呼制御装置が前記外線または前記内線からアドホック通信を実行しているいずれかの無線端末への着信がある旨の情報であることを特徴とするアドホック中無線端末への情報通知機能を有する無線通信システム。
【請求項３】
請求項１または２に記載の前記無線通信システムを構成する前記無線アクセスポイント。
【発明の詳細な説明】
【技術分野】
【０００１】
本発明は、無線端末と無線アクセスポイント、呼制御装置で構成される無線通信システムにおいて、前記呼制御装置がアドホックモードによる通信を行っている前記無線端末へアドホック通信の停止を促す情報の通知（着信有通知を含む）を行う場合に、前記無線アクセスポイントが前記呼制御装置から転送された認証情報を受信し、前記無線端末へアドホックモードによる通信を実行してアドホック通信の停止を促す情報を通知するアドホック中無線端末への情報通知機能を有する無線端末システムに関する。
【背景技術】
【０００２】
従来、無線ネットワークに接続される無線端末において、無線端末がアドホックモードによる通信状態にある場合、着信に応答できない場合がある。この改善策として、呼制御装置において着信先の無線端末の不応答を検出したときに、あらかじめ設定された転送先に着信を転送し、不在応答端末の番号情報と通信内容をボイスメールとしてホストに転送する技術がある。
【先行技術文献】
【特許文献】
【０００３】
【特許文献１】特開平５−２７６１０７号
【発明の概要】
【発明が解決しようとする課題】
【０００４】
無線端末同士でアドホックモードによる通信を実行している場合、無線アクセスポイント等を介さない閉じたネットワークを構築するため、呼制御装置が収容しているＷＡＮ回線からアドホックモードによる通信を実行しているいずれかの無線端末への着信を検知した場合に、前記呼制御装置は、無線端末へ通知する手段がなく、留守録音、転送電話など不在着信応答手段による対応をすることしかできないという課題があった。
【０００５】
そこで、本発明は、呼制御装置が収容しているＷＡＮ回線からアドホックモードによる通信を実行しているいずれかの無線端末への着信を検知した場合に、呼制御装置は、無線端末情報記憶部に記憶されたアドホック通信を実行する際に必要なＩＤおよびパスワードを含む認証情報を無線アクセスポイントへ通知し、無線アクセスポイントは呼制御装置から通知された認証情報を受信して、アドホックモードによる通信を実行することで、呼制御装置からのアドホック通信の停止を促す情報を無線端末に通知することを目的とする。
【課題を解決するための手段】
【０００６】
上記の課題を解決するために、本発明は端末間で直接通信するアドホックモードによるアドホック通信と無線アクセスポイントを介して通信するインフラストラクチャモードによるインフラ通信を備える１以上の無線端末と、１以上の前記無線アクセスポイントと、１以上の外線および複数の内線を収容し前記無線端末の呼制御に係る処理を実行する呼制御装置から構成される無線通信システムであって、前記無線端末は、前記アドホック通信を実行する際に必要なＩＤおよびパスワードを含む認証情報を記憶しておく認証情報記憶手段と、前記認証情報記憶手段に記憶されている認証情報を前記呼制御装置へ通知する認証情報通知手段と、を具備し、前記呼制御装置は、前記無線端末が通知してくる前記認証情報を受信する認証情報受信手段と、前記受信した認証情報を含む前記無線端末に係る情報を記憶しておく無線端末情報記憶手段と、前記無線アクセスポイントへ前記アドホック通信の停止を促す情報を通知するアドホック停止通知手段と、を具備し、前記無線アクセスポイントは、前記無線端末とアドホック通信を実行する対無線端末アドホック通信手段と、前記呼制御装置から通知される前記アドホック通信の停止を促す情報を受信するアドホック停止通知受信手段と、を具備し、前記呼制御装置が前記外線または前記内線からアドホック通信を実行しているいずれかの無線端末へ前記アドホック通信の停止を促す情報を通知する場合に、前記呼制御装置は、当該無線端末へ前記アドホック通信の停止を促す情報および前記無線端末情報記憶手段に記憶されている当該無線端末の認証情報を当該無線端末が帰属していた無線アクセスポイントへ通知し、前記アドホック通信の停止を促す情報および前記認証情報を受信した無線アクセスポイントは、前記対無線端末アドホック通信手段を起動し、前記受信した認証情報によるアドホック通信を実行し、前記アドホック通信の停止を促す情報を当該無線端末へ通知することを特徴とする。
【発明の効果】
【０００７】
本発明によれば、呼制御装置が収容しているＷＡＮ回線からアドホックモードによる通信を実行しているいずれかの無線端末への着信を検知した場合に、呼制御装置は、無線端末情報記憶部に記憶されたアドホック通信を実行する際に必要なＩＤおよびパスワードを含む認証情報を無線アクセスポイントへ通知し、無線アクセスポイントは呼制御装置から通知された認証情報を受信して、アドホックモードによる通信を実行することで、呼制御装置からのアドホック通信の停止を促す情報を無線端末に通知する無線端末システムを提供できる。
【図面の簡単な説明】
【０００８】
【図１】本発明のアドホック中無線端末への情報通知機能を有する無線通信システムの全体構成図およびブロック図。
【図２】本発明の認証情報記憶手段に登録された認証情報の登録内容を示す一例。
【図３】本発明のアドホック通信中における無線端末への着信通知の動作シーケンス図。
【図４】本発明のアドホック通信中における呼制御装置動作フロー。
【図５】本発明のアドホック通信中における無線アクセスポイント動作フロー。
【図６】本発明のアドホック通信中における無線端末動作フロー。
【発明を実施するための形態】
【０００９】
以下、図面を用いて本発明の実施例を説明する。
図１は、本発明のアドホック中無線端末への情報通知機能を有する無線通信システムの全体構成図およびブロック図である。ここで、本実施例においてはアドホック通信の停止を促す情報を着信有通知として説明する。
【００１０】
本システムにおいて、呼制御装置１では、無線端末５−１、無線端末５−２、より通知されるアドホックモードによる通信を実行する際に必要な端末ＩＤおよびネットワーク名、セキュリティキーを含むアドホック通信情報（以下、認証情報と記す場合もある。図２で後述する。）、およびアドホックモード通信可能時間を記憶しておく無線端末情報記憶部１２と、無線端末情報記憶部１２に記憶されている認証情報をいずれかの無線アクセスポイントへ転送するアドホック通信制御部１４と、呼制御装置１の配下に帰属する無線アクセスポイントの情報を登録しておくＡＰ情報登録部１３と、呼制御装置１が収容している外線（ＷＡＮ）２とのインタフェースを制御するＷＡＮ通信部１１と、ＬＡＮ３を経由して呼制御装置１と無線アクセスポイント４とを接続する有線ＬＡＮ通信部１７と、外線（ＷＡＮ）２とＬＡＮ３の配下に接続された各無線端末との通話制御を行う通話路交換部１６と、呼制御装置１内の全体の制御を行う呼制御部１５と、で構成される。
【００１１】
無線アクセスポイント４では、各無線端末とアドホックモードによる通信を実行する対無線端末アドホック通信部４２と、呼制御装置１から通知される認証情報を受信し記憶しておく認証情報登録部４３と、ＬＡＮ３を経由して呼制御装置１との有線通信を行う有線ＬＡＮ通信部４５と、各無線端末とインフラストラクチャモードによるインフラ通信を実行する無線通信部４１と、無線アクセスポイント４の各機能制御を行う主制御部４４と、で構成される。
【００１２】
無線端末５−１では、認証情報を登録しておく認証情報登録部５３と、呼制御装置１より通知されたアドホックモード接続時間を登録しておくアドホックモード接続時間記憶部５４と、無線アクセスポイント４との無線通信の制御を行う無線通信部５２と、操作部５５、表示部５６、通話部５７、各機能制御を行う主制御部５１と、で構成される。なお、無線端末５−２については無線端末５−１と同様の構成であるため、説明を省略する。
【００１３】
無線端末５−１が無線端末５−２とアドホック通信を行う場合、操作者が無線端末５−１に対してアドホック通信を行うための設定を実施すると、設定された認証情報は認証情報登録部５３に登録された後に、無線通信部５２から無線アクセスポイント４を経由して、呼制御装置１のアドホック通信制御部１４に通知され、呼制御装置１の無線端末情報記憶部１２に記憶される。この時記憶される認証情報の例は、図２で説明する。
【００１４】
このとき、外線（ＷＡＮ）２や、図示していないＬＡＮ３に接続されている他の内線端末から着信があった場合、呼制御装置１の呼制御部１５は、その着信先無線端末がアドホック通信状態か否かをアドホック通信制御部１４に問い合わせる。アドホック通信制御部１４は、着信先無線端末が無線端末情報記憶部１２に登録されているアドホック通信中の無線端末であった場合、呼制御部１５に通知する。
【００１５】
呼制御部１５は、無線端末情報記憶部１２に記憶されている直前に接続されていた無線アクセスポイント４に対して、着信先無線端末の認証情報を通知する。無線アクセスポイント４は認証情報を通知されると、対無線端末アドホック通信部４２から着信先無線端末に対してアドホック通信を実行し、着信有通知を行う。着信有通知を受けた着信先無線端末は、操作者の操作によりアドホック通信状態からインフラストラクチャモードによるインフラ通信に切替を行い、呼制御装置１に帰属される。呼制御装置１は、無着信先無線端末の帰属を確認後、着信を通知する。着信先無線端末が着信に対して応答すると、呼制御装置１の通話路交換部１６の通話路交換処理にて、通話状態に移行する。
【００１６】
図２は、呼制御装置１の無線端末情報記憶部１２に記憶されるアドホック通信中無線端末の認証情報の内容を示す一例である。列８０１〜８０６は、アドホック通信中無線端末の登録状態を示す。ネットワーク名（ＳＳＩＤ）
（列８０１）、セキュリティキー（列８０２）、端末ＩＰアドレス(列８０３)、使用帯域（列８０４）、使用チャネル（列８０５）は、アドホック通信中端末の無線情報であり、接続状態（列８０６）は、無線端末がアドホック通信中、インフラ通信中、待機中、圏外状態等の各端末の接続状況を示している。
【００１７】
接続可能時間（列８０７）は、アドホック通信での接続可能時間を示す。この時間は、無線端末がアドホック通信を行う場合に、接続可能時間を通知することでアドホック通信を利用できる時間の制限をかけ、アドホック通信状態を持続させず、通信終了後、直ちに呼制御装置配下でのインフラストラクチャモードによるインフラ通信に切替させることを目的としたタイマである。
【００１８】
直前帰属無線アクセスポイントＩＰアドレス情報（列８０８）は、アドホック通信中の無線端末に対して、アドホック通信による着信有通知を行うに当たり、無線端末がアドホック通信に移行する直前のインフラストラクチャモードによるインフラ通信で使用していた無線アクセスポイントのＩＰアドレス情報を示す。
【００１９】
この表は、着信があった場合に、呼制御装置１内のアドホック通信制御部１４より、着信先無線端末がアドホック通信中の状態にあるか否かを判定する際に利用する表であり、また、呼制御装置１に帰属されている無線端末が、アドホック通信を行うなどの操作が実施されると、無線端末から通知される情報により図２の表は更新される。図２に示す無線端末の情報より、無線端末のどの端末間でアドホック通信が行われているかの推測はできるが、本装置では感知しないこととする。例えば、端末Ａと端末Ｂは、ネットワーク名、セキュリティキー、使用帯域、使用チャネルが同じであるため、アドホック通信を行っていることは推測が可能である。
【００２０】
図３に、本発明のアドホック通信中における無線端末への着信通知の動作シーケンス図を示す。無線端末５−１および無線端末５−２は、アドホック通信を行う場合、無線端末５−１において通信モードをアドホックモードに切り替え（Ｓ３０１，Ｓ３０３）、無線端末５−２においても同様に、通信モードをアドホックモードに切り替え（Ｓ３０２，Ｓ３０４）、無線端末５−１は操作者が、認証情報を設定すると無線アクセスポイント４を経由して呼制御装置１にアドホック開始通知を通知し（Ｓ３０５，Ｓ３０６）、呼制御装置１は認証情報を無線端末情報記憶部１２に記憶する（Ｓ３０７）。呼制御装置１は、事前にアドホックモード接続時間記憶部１２に記憶されている接続可能時間を、無線アクセスポイント４を経由して通知する（Ｓ３０８，Ｓ３０９）。
【００２１】
また、無線端末５−２も同様に、無線アクセスポイント４を経由して呼制御装置１にアドホック開始通知を通知し（Ｓ３１０，Ｓ３１１）、呼制御装置１は認証情報を無線端末情報記憶部１２に記憶する（Ｓ３１２）。呼制御装置１は、事前にアドホックモード接続時間記憶部１２に記憶されている接続可能時間を、無線アクセスポイント４を経由して通知する（Ｓ３１３，Ｓ３１４）。これにより、無線端末５−１、および無線端末５−２はアドホック通信を開始する（Ｓ３１５）。
【００２２】
なお、接続可能時間は、各無線端末に対して個別設定が可能であり、また、呼制御装置１は、無線端末が、どの無線端末とアドホック通信中であるかを感知することなく、接続状態（インフラストラクチャモード接続か、アドホックモード接続か、未接続か、圏外か）のみを管理している。
【００２３】
また、無線端末５−１は、アドホック通話開始（Ｓ３１６）となると、タイマをスタートし（Ｓ３１７）、接続可能時間内の通信か否かを監視する（Ｓ３１９）。事前に登録しておいた監視時間が経過すると（Ｓ３１９，ＹＥＳ）、自動的にアドホック通信状態からインフラ通信に切り替えを行う。
【００２４】
呼制御装置１が収容している外線（ＷＡＮ）２またはＬＡＮ回線に接続されている他の無線端末より無線端末５−１へ着信が到来した場合（Ｓ３２０）、当該着信に対して、呼出中の応答を返したのち、着信先の無線端末５−１がアドホック通信中か否かの判定を行い、アドホック通信中でなければ通常着信処理を行う（Ｓ３２２，ＮＯ）。着信先の無線端末５−１がアドホック通信中であれば、呼制御装置１に記憶されている認証情報を無線アクセスポイント４に転送し、アドホック通信による着信有通知を行うように指示する（Ｓ３２３）。無線アクセスポイント４は、受信した認証情報を用いて対無線端末アドホック通信部に指示し、無線端末５−１にアドホック通信による着信有通知を通知する（Ｓ３２４）。
【００２５】
着信有通知を受けた無線端末５−１は、着信鳴動等を伴い表示部に着信有の表示を行う（Ｓ３２５）。無線端末５−１の操作者によりモード切替操作（Ｓ３２６）が行われると、無線アクセスポイント４に帰属要求が通知され（Ｓ３２７）、通知を受けた無線アクセスポイント４は帰属処理を行う（Ｓ３２８）。帰属処理の後、帰属通知を呼制御装置１に通知する（Ｓ３２９）。無線端末５−１は、帰属要求の送信後にアドホック通信モードを解除して（Ｓ３３０）、インフラ通信モードへ切り替えを行い（Ｓ３３１）、呼制御装置１からのインフラ通信による呼出しを待つ。帰属通知を通知された呼制御装置１は、無線端末５−１に対して、インフラ通信による呼出を行う（Ｓ３３２，Ｓ３３３）。無線端末５−１の操作者による応答操作により（Ｓ３３４）、通話状態となる（Ｓ３３５）。
【００２６】
図４は、呼制御装置１の動作フローである。
呼制御装置１は、アドホック通信開始通知を受信しない場合（Ｓ４０２，ＮＯ）、内線、または外線からの着信を検知しない場合（Ｓ４０５，ＮＯ）、アドホックモード接続可能時間の登録が行われない場合（Ｓ４１６，ＮＯ）、Ｓ４０２に戻り、いずれかを受け付けるまで繰り返す。
【００２７】
アドホック通信開始通知を受信した場合（Ｓ４０２，ＹＥＳ）、端末ＩＤ，ネットワーク名、セキュリティキー、端末ＩＰアドレス、使用帯域、チャネル、接続状態、他の認証情報を無線端末情報記憶部１２に記憶する（Ｓ４０３）。その後、事前に登録されたアドホックモード接続可能時間を認証情報の発信元である無線端末に通知し（Ｓ４０４）、Ｓ４０２へ戻る。
【００２８】
外線（ＷＡＮ）２またはＬＡＮ配下の内線端末からの着信を検知した場合（Ｓ４０５、ＹＥＳ）、着信先がアドホック通信中か否かを、アドホック通信制御部１４に確認する。アドホック通信制御部１４は、着信先の端末ＩＤが無線端末情報記憶部１２に記憶されているか否かの判定を行う（Ｓ４０６）。アドホック通信中ではない端末への着信の場合（Ｓ４０６，ＮＯ）、通常着信処理を行う。ここで、通常着信処理とは、一般的な呼制御装置が搭載している機能であり、通話開始、通話状態、終話検知までの着信応答から終話までの一連の処理をいう。
【００２９】
着信先がアドホック通信中であった場合（Ｓ４０６，ＹＥＳ）、無線端末情報記憶部１２に記憶されている当該着信先が直前に帰属していた無線アクセスポイントを検索する（Ｓ４０７）。検索により当該着信先が直前に帰属していた無線アクセスポイントが検出されない場合（Ｓ４０８，ＮＯ）、着信元に対して応答できない旨のガイダンスの送出、留守応答、転送電話等の不在処理を行う（Ｓ４０９）。
【００３０】
検索により当該着信先が直前に帰属していた無線アクセスポイントが検出された場合（Ｓ４０８，ＹＥＳ）、当該無線アクセスポイントに対して、認証情報の送信と共に着信有通知を行うよう指示し（Ｓ４１０）、帰属無線アクセスポイントを経由して、アドホック通信中無線端末に対して、着信有通知を行い（Ｓ４１１）、アドホック通信中無線端末より帰属完了通知の応答を待つ（Ｓ４１２）。
【００３１】
帰属完了通知を受信した場合は（Ｓ４１２，ＹＥＳ）、着信鳴動等で着信先の無線端末に対して着信を通知し、通常着信処理する（Ｓ４１５）。
帰属完了の応答がない間（Ｓ４１２，ＮＯ）、一定時間応答を待ち（Ｓ４１３，ＮＯ）、タイムアウトの場合（Ｓ４１３，ＹＥＳ）、着信元に対して応答できない旨のガイダンスの送出、留守応答、転送電話等の不在処理を行う（Ｓ４１４）。
【００３２】
また、呼制御装置１に対して、事前にアドホックモード接続可能時間の登録を行うことで（Ｓ４１６，ＹＥＳ）、無線端末情報記憶部１２に、設定した時間が記憶される（Ｓ４１７）。
【００３３】
図５は、無線アクセスポイントの動作フローである。
ＬＡＮ回線からデータを受信したか否かの判定を行い（Ｓ５０２）、データを受信した場合（Ｓ５０２，ＹＥＳ）、アドホック通信着信有通知指示を受信したかの判定を行う。アドホック通信着信有通知指示を受信した場合（Ｓ５０３，ＹＥＳ）、アドホック通信着信有通知指示を受信した際に受け取った認証情報にて無線アクセスポイントは対無線端末アドホック通信部に指示して、アドホック通信を起動（Ｓ５０４）、当該無線端末に対して、対無線端末アドホック通信モードにて着信有通知を行う（Ｓ５０５）。アドホック通信着信有通知指示受信をしなかった場合（Ｓ５０３，ＮＯ）、受信データを無線端末に中継する処理（Ｓ５０６）を実施する。
【００３４】
次に、ＬＡＮ回線からデータを受信しない場合（Ｓ５０２，ＮＯ）、無線端末からデータを受信したか否かの判定を行い、無線端末からのデータ受信ではない場合（Ｓ５０７，ＮＯ）、Ｓ５０２に戻る。また、無線端末からデータを受信した場合は（Ｓ５０７，ＹＥＳ）、端末からの帰属要求を受信したか否かの判定を行う（Ｓ５０８）。帰属要求を受信した場合（Ｓ５０８，ＹＥＳ）、無線アクセスポイントは帰属処理を行い（Ｓ５０９）、配下の無線端末とインフラ通信で接続可能な設定に切り替えを行う。帰属要求を受信しなかった場合（Ｓ５０８，ＮＯ）、無線端末からのアドホック開始通知を受信したか否かの判定を行う（Ｓ５１０）。無線端末からのデータ受信として、アドホック開始通知を受信した場合（Ｓ５１０，ＹＥＳ）、呼制御装置１に対して、無線端末がアドホック通信を開始することを通知する（Ｓ５１１）。アドホック開始通知を受信しなかった場合（Ｓ５１０，ＮＯ）、受信データをＬＡＮ側に中継する。  
【００３５】
図６は、無線端末の動作フローである。
操作者により無線端末がアドホック通信へ切替操作が行われた場合（Ｓ６０２，ＹＥＳ）、アドホック通信開始通知を認証情報と共に呼制御装置に送信する（Ｓ６０３）。その後、呼制御装置からアドホックモード接続可能時間を受信すると（Ｓ６０４）、無線端末のアドホックモード接続時間記憶部５４に受信した時間を記憶し、アドホック通信を開始する（Ｓ６０５）。
【００３６】
その後、タイマをスタートし（Ｓ６０６）、アドホックモード接続時間記憶部５４に記憶された接続可能時間と比較し、タイマがアドホックモード接続可能時間をオーバーした場合（Ｓ６０７，ＹＥＳ）、インフラストラクチャモードに切り替わり、呼制御装置配下に帰属する無線端末として再接続される。アドホック通信中に、呼制御装置から無線アクセスポイント経由で着信有通知を受信した場合（Ｓ６０９，ＹＥＳ）、着信有表示を行い、ユーザによる帰属応答操作を行うか否かの問い合わせを行う（Ｓ６１１）。
【００３７】
応答操作を行う場合（Ｓ６１１，ＹＥＳ）、無線アクセスポイントへ帰属通知を送信し、インフラストラクチャモードに切り替わる。インフラストラクチャモード切り替わり後、呼制御装置から着信通知を受信し、着信応答することで通話を可能とする（Ｓ６０８）。応答操作を行わない場合は（Ｓ６１１，ＮＯ）、アドホック通信を継続して続ける。
【００３８】
以上、本発明の無線通信システムおよび無線アクセスポイントについて説明したが、本発明は本実施例に限定されるものではなく、発明の趣旨を変更しない範囲での変更が可能である。例えば、呼制御装置と無線アクセスポイントの構成で本実施例について説明を行っているが、呼制御装置が無線アクセスポイント機能を有するものであってもよい。
【００３９】
また、本実施例において、アドホック通信を実行している無線端末へアドホック通信の停止を促す情報として、着信有通知を用いて説明を行っているが、本発明はこれに限定されるものではない。例えば、インフラ通信へ帰属させて一斉メンテナンス、データの更新等を行うことを通知する用途でアドホック通信の停止を促す情報を送信するものであっても良いし、また、お知らせ等の情報をインフラ通信へ帰属させて配布するためであっても良い。
【符号の説明】
【００４０】
１・・・・本発明による呼制御装置
２・・・・本発明による呼制御装置が収容している外線（ＷＡＮ）
３・・・・本発明による呼制御装置が収容している内線（ＬＡＮ）
４・・・・本発明による無線アクセスポイント
５−１・・本発明による無線端末
５−２・・本発明による無線端末
１１・・・ＷＡＮ通信部
１２・・・無線端末情報記憶部
１３・・・ＡＰ情報登録部
１４・・・アドホック通信制御部
１５・・・呼制御部
１６・・・通話路交換部
１７・・・有線LAN通信部
４１・・・無線通信部
４２・・・対無線端末アドホック通信部
４３・・・認証情報登録部
４４・・・主制御部
４５・・・有線ＬＡＮ通信部
５１・・・主制御部
５２・・・無線通信部
５３・・・認証情報登録部
５４・・・アドホックモード接続時間記憶部
５５・・・操作部
５６・・・表示部
５７・・・通話部
【図１】
2015029193.tif 000003
【図２】
2015029193.tif 000004
【図３】
2015029193.tif 000005
【図４】
2015029193.tif 000006
【図５】
2015029193.tif 000007
【図６】
2015029193.tif 000008